(57)【要約】      （修正有）【課題】塗布の均一性を保持し、作業時間の短縮を図るとともに、作業自体を危険性のないものとすることができる壁面塗装装置とする。【解決手段】駆動モータを固設したベースプレートを有し、そのベースプレートの、前記駆動モータの固設面とは反対面側に塗料の噴射装置を設置した設置プレートを配し、その設置プレートは前記駆動モータと伝動手段で連結されて左右方向に可動とするとともに、前記ベースプレートには昇降手段を備えてあることとし、前記した駆動モータはベースプレートの上面に固設され、そのベースプレートの下方に前記した設置プレートと、その設置プレートの四隅で支持ポールで固定された天板とを配し、その天板上に設けた摺動ガイドをベースプレートの下面に設けたガイドレールに嵌めるとともに前記天面の左右縁を前記駆動モータの軸に取り付けられたプーリに掛け回されたワイヤーの端部と連結してあることととする。【選択図】          図１
2004223434.tif 000002
【特許請求の範囲】
【請求項１】
駆動モータを固設したベースプレートを有し、そのベースプレートの、前記駆動モータの固設面とは反対面側に塗料の噴射装置を設置した設置プレートを配し、その設置プレートは前記駆動モータと伝動手段で連結されて左右方向に可動とするとともに、前記ベースプレートには昇降手段を備えてあることを特徴とする壁面塗装装置。
【請求項２】
前記した駆動モータはベースプレートの上面に固設され、そのベースプレートの下方に前記した設置プレートと、その設置プレートの四隅で支持ポールで固定された天板とを配し、その天板上に設けた摺動ガイドをベースプレートの下面に設けたガイドレールに嵌めるとともに前記天面の左右縁を前記駆動モータの軸に取り付けられたプーリに掛け回されたワイヤーの端部と連結してあることを特徴とする請求項１に記載の壁面塗装装置。
【請求項３】
前記したワイヤーは前記したベースプレートの左右端部に設けられたガイドローラを介して連結されていることを特徴とする請求項２に記載の壁面塗装装置。
【請求項４】
前記したガイドローラは各々三個づつ設けられていることを特徴とする請求項３に記載の壁面塗装装置。
【請求項５】
前記した昇降手段はウインチに連結されたロープとしたことを特徴とする請求項１、請求項２、請求項３または請求項４に記載の壁面塗装装置。
【請求項６】
前記したベースプレートの四隅にはポールが挿通され、そのポールの上下端には保形、補強のためのプレートが設けられ、補強フレームが形成されていることを特徴とする請求項１、請求項２、請求項３、請求項４または請求項５に記載の壁面塗装装置。
【請求項７】
前記した保形、補強のためのプレートには金網を用い、ポールにはネジ棒を用いてあることを特徴とする請求項６に記載の壁面塗装装置。
【請求項８】
前記したロープは保形、補強のためのプレートの上方側に絡ませてあることを特徴とする請求項６または請求項７に記載の壁面塗装装置。
【発明の詳細な説明】
【０００１】
【発明の属する技術分野】
本発明は壁面塗装装置、特に建築物、建造物の外壁、内壁を塗装するための壁面塗装装置に関する。
【０００２】
【特許文献】
出願人において、本発明に関しての先行技術を調査したところ、格別に関連すると思われる文献、公報は発見できなかった。
【０００３】
【発明の背景】
従来、建築物、建造物の壁面塗装は人手によってローラを用い塗料を塗布していく作業が一般的となっている。
【０００４】
【発明が解決しようとする課題】
しかしながら、上記した従来の塗装の方法は人手によるため塗料の塗布の均一性にムラが生じることがあり、また作業時間が長くかかってしまううえに、高所での作業も余儀無くされ、作業者にとって危険性をともなうものとなっていた。
【０００５】
【発明の目的】
そこで、本発明は上記した従来の実情、問題点に着目してなされたもので、かかる問題点を解消して、塗布の均一性を保持し、作業時間の短縮を図るとともに、作業自体を危険性のないものとすることができる壁面塗装装置を提供することを目的としている。
【０００６】
【課題を解決するための手段】
この目的を達成するために、本発明に係る壁面塗装装置は駆動モータを固設したベースプレートを有し、そのベースプレートの、前記駆動モータの固設面とは反対面側に塗料の噴射装置を設置した設置プレートを配し、その設置プレートは前記駆動モータと伝動手段で連結されて左右方向に可動とするとともに、前記ベースプレートには昇降手段を備えてあることを特徴とし、前記した駆動モータはベースプレートの上面に固設され、そのベースプレートの下方に前記した設置プレートと、その設置プレートの四隅で支持ポールで固定された天板とを配し、その天板上に設けた摺動ガイドをベースプレートの下面に設けたガイドレールに嵌めるとともに前記天面の左右縁を前記駆動モータの軸に取り付けられたプーリに掛け回されたワイヤーの端部と連結してあることを特徴とし、前記したワイヤーは前記したベースプレートの左右端部に設けられたガイドローラを介して連結されていることを特徴とし、前記したガイドローラは各々三個づつ設けられていることを特徴としている。
【０００７】
また、本発明に係る壁面塗装装置は前記した昇降手段はウインチに連結されたロープとしたことを特徴としている。
【０００８】
さらに、本発明に係る壁面塗装装置は前記したベースプレートの四隅にはポールが挿通され、そのポールの上下端には保形、補強のためのプレートが設けられ、補強フレームが形成されていることを特徴とし、前記した保形、補強のためのプレートには金網を用い、ポールにはネジ棒を用いてあることを特徴とし、前記したロープは保形、補強のためのプレートの上方側に絡ませてあることを特徴としている。
【０００９】
【作用】
上記した構成としたことによって、塗料の噴射装置を目的とする壁面に向けて、上下方向及び左右方向に自在に可動させることができ、そのスピード等を調整することで、均一な塗装作業がスピーディにしかも危険性なく実行することができ、かつ、本発明の装置を作動させることについて、格別な熟練性を要することも不要となっている。
【００１０】
【発明の実施の形態】
次に、本発明の好ましい実施の形態を図面を参照して説明する。図１は本発明を実施した壁面塗装装置を示す概略正面図、図２は同じく要部側面図である。
【００１１】
これらの図にあって１は金属製の横長なベースプレートを示している。このベースプレート１の上面略中央にはモータブラケット２が固定して設けられ、このモータブラケット２には駆動モータ３がモータ軸４を突出して固設されており、そのモータ軸４にはプーリ５が取り付けられている。
【００１２】
また、前記したベースプレート１の下方には塗料の噴射装置（スプレーガン）６の設置プレート７が配備されている。この設置プレート７上にはホルダー部８が設けられ、そのホルダー部８に噴射装置６のグリップがビス８ａ・８ａ‥によって固定されたものとなっている。
【００１３】
前記した設置プレート７の上方には、その設置プレート７と略同サイズとした天板９が配備されており、その天板９と設置プレート７とは各々の四隅を支持ポール１０・１０‥により連結され一体化されている。この実施の形態にあって支持ポール１０・１０‥にはネジ棒が使用され、設置プレート７と天板９との間隔調整も自在に行なえるものとし、それにより、噴射装置６の位置設定も調整を可能なものとしてある。
【００１４】
また、前記したベースプレート１の下面には左右方向にガイドレール１１が設けられており、そのガイドレール１１に、天板９の上面に突設されたガイド１２が嵌められているもので、静止時に天板９をはじめ支持ポール１０・１０‥で一体化された設置プレート７が吊持状態とされている。
【００１５】
さらに、天板９の左右縁には支持金具１３・１３が固着されており、その支持金具１３・１３にはワイヤー１４の各端部が止着されたものとなっている。このワイヤー１４は前記したプーリ５に掛け回されている。
【００１６】
また、ベースプレート１の左右端縁にはローラの支持部材１５・１５が設けられており、この支持部材１５・１５の上面、外面及びベースプレート１の下面に各々ガイドローラ１６ａ・１６ｂ・１６ｃが支持されており、前記したワイヤー１４はこのガイドローラ１６ａ・１６ｂ・１６ｃにも掛け回されている。ここで外面に配されたガイドローラ１６ｂはテンションローラとしての効用も果たしている。
【００１７】
一方、図１中で想像線をもって示す１７ａ・１７ｂは金網によって成形されている保形、補強のプレートであり、このプレート１７ａ・１７ｂの四隅には途中でベースプレート１の四隅を貫通して連結されるポール１８・１８が設けられており、このポール１８・１８‥とプレート１７ａ・１７ｂとによって全体を補強フレームとしている。なお、ここでポール１８・１８‥にはネジ棒が使用され、ベースプレート１の位置調整等を可能なものとしている。
【００１８】
そして、上方のプレート１７ａの四隅にはロープ１９・１９が絡め付けられており、このロープ１９・１９は一本にまとめられ図示しないウインチ等に連結されているもので補強フレーム自体を昇降させることができるものとしている。なお、図中２０はタイマー等をはじめとする制御部である。
【００１９】
本実施の形態に係る壁面塗装装置は上記のように構成されている。この実施の形態にあってはベースプレート１の上面側に駆動モータ３を配し、下方側に噴射装置６を配したが、これは位置を入れ換えて実施することも勿論可能であり、ワイヤー１４に代えギア機構等を用いたり、ガイドレール１１部分にラックを用いたりすることも可能なものとなっている。
【００２０】
また、本実施の形態にあって噴射装置６は格別に図示しない電源やコードで連結された電動式のピストンによって自動的に噴射作業が実行されることとなり、その噴射量、時間等は装置全体の可動とともに制御システムで制御することが可能となっている。
【００２１】
【発明の効果】
本発明に係る壁面塗装装置は上述のように構成されている。そのために目的とする噴射装置が対象となる壁面と対向して上下、左右に可動とされ、そのため、塗料をムラなく均一に塗布（噴き付け）することができるとともに、作業時間が短縮され、その作業に危険性をともなうこともなく、何人もが格別な熟練性を不要として実行することができるものとなっている。
【図面の簡単な説明】
【図１】本発明を実施した壁面塗装装置を示す概略正面図である。
【図２】要部側面図である。
【符号の説明】
１  ベースプレート
２  モータブラケット
３  駆動モータ
４  モータ軸
５  プーリ
６  噴射装置
７  設置プレート
８  ホルダー部
８ａ  ビス
９  天板
１０  支持ポール
１１  ガイドレール
１２  ガイド
１３  支持金具
１４  ワイヤー
１５  支持部材
１６ａ  ガイドローラ
１６ｂ  ガイドローラ
１６ｃ  ガイドローラ
１７ａ  プレート
１７ｂ  プレート
１８  ポール
１９  ロープ
２０  制御部
【図１】
2004223434.tif 000003
【図２】
2004223434.tif 000004